(57)【要約】      （修正有）【課題】下肢、下腿の循環不全による浮腫の防止または軽減させ、足部関節間潤滑圧の獲得および可動改善によって関節内・関節外の流体循環改善を獲得する。【解決手段】下肢浮腫改善具１は、細い帯状のゴムやビニール、弾力性のある繊維などの弾性部材２、３を用いて、８の字を形成した下肢浮腫改善具である。左右の輪の間には、スライダー４があり、左右の輪の大きさはスライダーによって調整でき、８の字全体の大きさは、付属するコキ５により、長さを調整することが出来ることを特徴とする下肢浮腫改善具である。【選択図】図１
2018083030.tif 000002
【特許請求の範囲】
【請求項１】
細い帯状のゴムやビニール、弾力性のある繊維などの弾性部材を用いて、左輪と右輪からなる８の字の環状態を形成しており、両輪の間にはスライダーが介在し、両輪のそれぞれの大きさはスライダーによって調整でき、８の字全体の大きさは、付属するコキを介して帯端部を押引きすることにより、調整することが出来ることを特徴とする下肢浮腫改善具。
【発明の詳細な説明】
【技術分野】
【０００１】  本発明は下肢、下腿の循環不全による浮腫の防止または軽減を目的とし、足部関節間潤滑圧の獲得および可動改善によって関節内・関節外の流体循環改善を獲得することに関するものである。
【背景技術】
【０００２】  従来より、長時間にわたる立ち仕事、デスクワークなどにより疾病以外の原因で下肢の浮腫みが発生し、多くの人間を悩ませてきた。この傾向は特に比較的筋力の弱い女性に顕著である。【０００３】  近年では、航空機やバス、鉄道などの狭い座席での長時間にわたる乗車により、下肢の浮腫みが悪化した結果、俗に言う「エコノミークラス症候群」と言われる「深部静脈血栓症」「肺塞栓症」などを発病させ深刻な状態に陥ることがままあり、社会問題と化している。【０００４】  下肢の浮腫みの医学的な発生原因は、主に足部の運動・可動不全・血行不良を起因とするものが多く、足部関節間潤滑不全への対処が主対応となる（内部疾患および足部直接外傷などによる下肢浮腫などは適応外）。【０００５】  足部関節間潤滑不全の発生機序は、足部への荷重不足による関節内圧力不足を招き、筋群の運動低下により血流量・流速低下および血管内外物質交換率の低下へとつながる。
当該目的事象においての浮腫は、上記理由により足部内の流体循環不全が主な起因となることから、筋群ポンプ作用の改善が最善とされる。【０００６】  その対策として、ふくらはぎに溜まった余分な水分や血液を心臓に戻す為のマッサージや、ウォーキングなどの運動によって筋群ポンプ機能を向上させる方法が一般化されている。【０００７】  そうした状況下、こうした方法を補助する下肢の浮腫み改善促進をする技術について、多数の提案がなされている（特許文献１乃至３）。
【先行技術文献】
【特許文献】
【０００８】
【特許文献１】特開２１１１−１１５５７１号公報
【特許文献２】特開２０１６−０７７６４１号公報
【特許文献３】特許第３４６４２１０号
【発明の概要】
【発明が解決しようとする課題】
【０００９】  しかしながら、特許文献１乃至２の記載の技術においては、医療用品であり日常生活での恒常的な装着には不向きである。
また、足部への総合的荷重改善が目的の場合、こうした下肢のサポーター及びストッキングは被覆や装着による足部関節の運動および可動率の低下が必ず起こり最善とは言い難い。【００１０】  また、特許文献３に記載の技術においては、浮腫改善効果こそ明記はしていないが母趾二趾間への圧迫刺激による足部の血行促進という浮腫改善に繋がる効果が期待出来る。
特許文献１乃至２などに代表される従来の浮腫改善ストッキング・サポーター類は、少なくとも膝下から爪先まで装着乃至捲回しなければならないが、これは足首から下の足部のみの装着で済み、日常生活での使用にも支障の無い稀有な発明である。【００１１】  しかしながら、この実施形態は母趾二趾間への圧迫刺激の為に、左右の帯片をファスナ類により連繋しなければならない。その結果、左右帯片により足背部は圧迫される。【００１２】  足背部には主に３つの筋肉の腱がある。（足背部内側には前脛骨筋と長母趾伸筋の腱。足背部中央から外側にかけては長趾伸筋の腱）
これらの腱は、足の甲にある皮膚のすぐ下を走っているため足背部が強く圧迫されることが原因で炎症を起こすことがある。いわゆる過度の靴紐による締め付けや、サイズの合わない靴の着用による痛みがこれである。【００１３】  即ち、この特許文献３の技術を用いて、母趾二趾間への圧迫刺激による足部の血行促進の最大限の効果を実現する為には、左右両帯片の連繋を強める以外になく、結果足背部が強く圧迫されることになり、前述のとおり腱が圧迫され炎症を起こす可能性は皆無とはいえない。
さらに幅広の帯片が足部全体を券回することにより、帯片の素材にもよるが、一般的に通気性は悪くなり、且つその上に従来の靴下や靴を装着することは、圧迫感が増し甚だ使用に不都合を感じる可能性がある。
そこで、上記問題に鑑み、本発明は足背部の圧迫のおそれも無く、足部のみの簡易な着用により日常生活での使用にも負担にならない浮腫改善具を提供することが目的となる。
【課題を解決するための手段】
【００１４】  開示する下肢浮腫改善具の一形態は、細い帯状のゴムやビニール、弾力性のある繊維などの弾性部材を用いて、８の字を形成した下肢浮腫改善具である。
左右の輪の間には、スライダーがあり、左右の輪の大きさはスライダーによって調整でき、８の字全体の大きさは、付属するコキにより、長さを調整することが出来ることを特徴とする下肢浮腫改善具である。
【発明の効果】
【００１５】  開示する下肢浮腫改善具は、足背部の圧迫のおそれも無く、帯状の弾性部材を足部踵部後方から母趾二趾間に、外側から回り込むように装着させ、装着状態としては鼻緒を掴んでいるような状態にすることにより、母趾二趾間への圧迫刺激が発生し、皮膚から足趾間筋群（虫様筋、母趾内転筋など）への圧迫刺激を得ることにより、母趾の運動補助効果を得ることができる。
また踵部から足趾間へ一連の弾性部材によって、足部中枢に向かう総合的圧迫を加えることにより、足部関節への潤滑圧獲得補助効果を生む。
さらに足部のみの簡易な着用により日常生活での使用にも負担にならない。
【図面の簡単な説明】
【００１６】
【図１】本実施の形態に係る下肢浮腫改善具の正面図を示す図である。
【図２】本実施の形態に係る足背部側から見た下肢浮腫改善具の使用状態を示す正面図である。
【図３】本実施の形態に係る足裏側から見た下肢浮腫改善具の使用状態を示す正面図である。
【図４】本実施の形態に係る足外側から見た下肢浮腫改善具の使用状態を示す斜視図である。
【図５】本実施の形態に係る足内側から見た下肢浮腫改善具の使用状態を示す斜視図である。
【発明を実施するための形態】
【００１７】  図面を参照しながら、本発明を実施するための形態について説明する。
（下肢の浮腫みが発生する原因）
【００１８】  前記の通り問題となる下肢、下腿の循環不全による浮腫は、内部疾患および足部直接外傷などによる下肢浮腫などを除いて主に足部の運動・可動不全を起因とするものが多く、足部関節間潤滑不全への対処が主対応となる
足部関節間潤滑不全の発生機序は、足部への荷重不足による関節内圧力不足を招き、筋群の運動低下により血流量・流速低下および血管内外物質交換率の低下へとつながる。
当該目的事象においての浮腫は、上記理由により足部内の流体循環不全が主な起因となることから、筋群ポンプ作用の改善が最善とされる。
【００１９】  そこで、本実施の形態に係る下肢浮腫改善具は、下肢や下腿の循環不全による浮腫の防止または軽減を目的とし、足部関節間潤滑圧の獲得および可動改善によって関節内・関節外の流体循環改善を獲得するものである。
（本実施の形態に係る下肢浮腫改善具の構造）
図１乃至図５を用いて、本実施の形態に係る下肢浮腫改善具１について説明する。図１は下肢浮腫改善具１の全体の構造を、図２乃至図５は、下肢浮腫改善具１の使用状態を示す図である。
【００２０】  図１で示すように、下肢浮腫改善具１は、細い帯状のゴムやビニール、弾力性のある繊維などの弾性部材を用いて、帯状弾性部材左輪２と右輪３からなる「８の字」の環状態を形成しており、両輪の間にはスライダー４が介在し、両輪のそれぞれ大きさはスライダー４によって調整できる。８の字全体の大きさは、付属するコキ４を介して帯端部５を押引きすることにより、調整することが出来ることを特徴とする下肢浮腫改善具である。
【００２１】  次に図２乃至図５用いて、下肢浮腫改善具１の使用方法について説明する。第一の手順として、下肢浮腫改善具１の使用者は、まずスライダー４を滑動させて左輪２、右輪３いずれか任意の一方が、片方の輪よりも一回り大きくなるように８の字を形成させる。
【００２２】  第二の手順として、使用者はスライダー４を踵部に押止しつつ、第一の手順で形成した大きい方の輪の中に第２指乃至第５指をくぐり踵部にかけて券回させ、同様に小さい方の輪は第１指をくぐり踵部にかけて券回させる。
【００２３】  第三の手順として、スライダー４の滑動やコキ５を介して帯状弾性部材端部６を押引きすることにより、両輪を足部に対して隙間なく装着させる。
この第一乃至第三の手順により、装着状態としては鼻緒を掴んでいるような状態となる。これにより母趾二趾間への圧迫刺激が発生し、皮膚から足趾間筋群（虫様筋、母趾内転筋など）への圧迫刺激を得ることにより、母趾の運動補助効果を得ることができる。
【００２４】  また踵部から足趾間へ一連の弾性部材によって、足部中枢に向かう総合的圧迫を加えることにより、足部関節への潤滑圧獲得補助効果を生む。
【００２５】  潤滑不全改善を果たすことにより各関節の可動改善へとつながる。さらに可動改善を得ることにより筋群が生理的張力となり筋内圧力の変動（筋ポンプ作用）を生むことができるように、血管内外物質交換率の向上による浮腫改善効果を得ることができる。
【００２６】  足部に接する部分は、細長い帯状の弾性部材のみであるため足背部にも全く圧迫感がなく、その上に靴下、靴を装着したとしても大して違和感なく日常生活を過ごすことが可能となる。
【産業上利用の可能性】
【００２７】  かかる発明品は、単純な構造であり、使用する部材も比較的安価での調達が可能で大量生産によるコストダウンが出来る。
実現すれば、安価なコストと着脱の簡単さ、快適な使用感から、例えば航空機、列車などの乗客に対して、エコノミークラス症候群対策の補助具として大量に販売もしくは運行側からのサービス品として使用者に提供することも可能となる。
【００２８】  以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】１    下肢浮腫改善具
２    帯状弾性部材（左輪）
３    帯状弾性部材（右輪）
４    スライダー
５    コキ
６    帯状弾性部材端部
【図１】
2018083030.tif 000003
【図２】
2018083030.tif 000004
【図３】
2018083030.tif 000005
【図４】
2018083030.tif 000006
【図５】
2018083030.tif 000007